(57)【要約】      （修正有）【課題】男性が座って小便をした時、洋風便器前方の隙間から小便が飛び出し、便器の外側に衣服や下着が触れていても、衣服や下着が小便で濡らすことの無い、洋風便器を提供する。【解決手段】便器１の便座受け面２の前方になる部分の中央部の便座受け面２を他の便座受け面２より高くし、便座受け面凸部３として、便座の前方の一部が高くなった便座で、便座受け面凸部３の上部になる部分の便座４の下の面に便座凹部６を設け、便座受け面凸部３が便座４の便座凹部６に収納できる様にした。【選択図】図１
2016070033.tif 000002
【特許請求の範囲】
【請求項１】
洋式便器に座った時、陰茎１３の前方で両膝の間になる部分の便座受け面２を、便座受け面２より上方向に高くした、便座受け面凸部３を有する、便器の前方の一部が高くなった洋式便器。
【請求項２】
便座受け面凸部３の上部になる部分の便座４の下の面に便座凹部６を設け、便座受け面凸部３が便座４の便座凹部６に収納できる様にした便器の前方の一部が高くなった洋式便器。
【請求項３】
便座４の下の面の便座凹部６に凹部壁１８を設けた、便器の前方の一部が高くなった洋式便器。
【請求項４】
便座４の上部に便座凸部７を有する、便器の前方の一部が高くなった洋式便器。
【発明の詳細な説明】
【技術分野】
【０００１】
本発明は、洋式便器に関するものである。
【背景技術】
【０００２】
洋式便器とは、便器、便座、便蓋、等で構成され、便座に腰掛けて用を足す、或いは男性は便座を上げて立ったまま小便をする物を云う。通常男性は小便をする時は便座４を上げた後立って便器１の中に小便をすることが多い、だいたい朝に便座４に座って大便をする、この時小便もすることが多い。洋式便器で男性が小便をすると立ってするので便器や周りの床などが小便で汚れていたと思われてきた、この為座って小便をさせられている男性も多い。しかし座って小便をした後アンダーパンツを上げ、ランニング等の下着やワイシャツを下げてズボンを着衣しベルトをすると背中の部分が濡れている事が多々あった、この為下着等の着替えが必要になっていた、出勤前の着替えは時間適に非常に痛かった。
洋式便器の外側や周りの床などが小便で汚れていたのは、便器1に男性が立って小便をするからだけではなく便座4に座って小便をした場合、陰茎１３から放出された小便が便座４の下側と洋式便器１の便座受け面2と便座４の間に便座足５によって出来ている隙間１０から漏れ出していたことが確認できた。漏れやすくなった一因は便座４を保温する為にヒーターを内蔵した為に便座４が部厚くなった事で、保温なしの従来の便座よりに便座４が厚くなった分だけ便器１の最上面である便座受け面２の上に位置する便座４に座った場合、陰茎１３の位置が従来の便座使用時より高い位置になってしまっている事にある。  図３参照
先行技術として洋式便器に着座して使用する時にズボン等の衣服が汚れた便器に触れ、汚れるのを防止するための洋式便器に取付ける衣服等の汚れ防止具および衣服等の汚れ防止具を備えた洋式便器として、出願されているのが、特開２００８−０６７９８０である便座と便器の隙間から漏れ出す小便で衣服等の汚れ防止のため便座の下側、先側に垂直部分を覆うカバーを設け、便座を下ろした時にカバーは便器の外側を覆う様にし、カバーの外側にある衣服が小便で汚れない様にした便器ユニットが考案されているが便座と便器の隙間から漏れ出てカバーの内側に当たった小便は、便器の外側の遮蔽物と便器の間を伝って落下するので、便器の外に小便が漏れ出るを防げず、結果、便器と床を汚すのを解決はできていない。又カバーの付いた便座を上げた場合、カバーは便座を支持するヒンジ部分になるのでカバーから垂れた小便は便座のヒンジ部分に落下して便器を汚していた、又便器内であれば使用の度に水が洗浄しているが便器の外にあるカバーは人が清掃しなければならなかった。
【先行技術文献】
【特許文献】
【０００３】
【特許文献１】特開２００８−０６７９８０
【非特許文献】
【０００４】
【非特許文献１】なし
【発明の概要】
【発明が解決しようとする課題】
【０００５】
解決しようとする問題点は、便座４を保温する為にヒーターを内蔵した為に便座４が部厚くなった事にある。ヒーターがなかった従来品は単層の樹脂板であった、保温の為ヒーターを内蔵した現在の便座４は厚さが従来品に比べると７〜１０倍くらいの厚さ（約３ｃｍ）になっている。便座４と便器１の構造は次のように構成されている便座４は下面が汚れにくい様に、便座足５で便座４を受ける便座受け面２との間に隙間１０を設けている。男性の排尿器、以下陰茎１３と云うは、椅子や便座に座った時、陰茎１３の中心がその座面から約３０ｍｍ上の下腹部から前方に飛び出している(日本人の平均値)、この為便座受け面２から陰茎１３の中心までの高さは、便座の座面から陰茎の中心までの距離約３０ｍｍと便座４と便座受け面２の隙間約５ｍｍの、隙間１０と厚さ約３０ｍｍの、便座４で、合計約６５ｍｍ便座受け面２より高い位置にある、この為朝起きた後の勃起が少し残っている場合や、背筋を反らせた場合や、残尿感があり力んで排尿した場合は陰茎１３が前方向を向いた状態で放尿する、この為便座４の下と便座受け面２の間の隙間１０から外に飛び出していた。女性の排尿器は便器１の便座４に座った時ほぼ下を向いている為便器の中の下方向向かって放尿されるが男性の陰茎は、必ずしも下に垂れているばかりでない、状況により陰茎の上下の向きは変わる陰茎の向きの変化があった場合隙間１０から小便が漏れ出ていた。
【課題を解決するための手段】
【０００６】
従来の洋式便器を図５で説明すると、便座４および便座受け面２はフラットであった。本発明は、便座４に着座した時、便座受け面２の股の両足膝の間になる部分、つまり陰茎１３の正面になる部分を上方向に高くした便座受け面凸部３を設ける。便座受け面凸部３の上部になる便座４の下側には凹部壁１８を設けた便座凹部６と上側には便座凸部７を設け、便座受け面凸部３が便座４の便座凹部６に入り込む様にする。便座受け面凸部３の内側の水路１５の内側の内垂れ壁１６の下側を外側に傾斜させ、便座凹部６の凹部壁１８を、内垂れ壁１６の天面より下げる。（図１、図２、図４参照）
【発明の効果】
【０００７】
本発明により、便座受け面２の陰茎１３の正面部分が便座受け面凸部３として高くなり、便座受け面凸部３が便座４の便座凹部６の中に入り込み、凹部壁１８が外側に傾斜させた内垂れ壁１６の内側で便座受け面凸部３の天面より下がっているので、陰茎１３側から見ると便座受け面凸部３と便座４の間の隙間１０を凹部壁１８が塞いで隙間１０からの漏れを塞いだ、さらに内垂れ壁１６は下側が外側に傾斜しているので凹部壁１８を伝わった小便は便器１に落下する。陰茎１３の向きによっては凹部壁１８より下に小便が放出される事も有り直接内垂れ壁１６に放出される場合もあるが、内垂れ壁１６は下側が外側に傾斜している為傾斜に添って効率よく便器１内に落下する為、便器１の外に漏れ出すことがなくなった。
便座凹部６、便座凸部７になる便座４の上部には足がない為保温ヒーターが必要ないので薄くできるので、便座凸部７は便座凹部６と同じ比率で上方向に凸にする必要はないので便座４の便座凸部７は低く抑えられるので座るときに邪魔になることはない、保温については熱は伝導するので便座凸部７部分も他の保温部分の熱が伝導し適当に保温される。
【図面の簡単な説明】
【０００８】
【図１】便器と便座の前方の一部が高くなった洋式便器の正面図。
【図２】便器と便座の前方の一部が高くなった洋式便器の斜図。
【図３】従来の洋式便器に着座した側面図。。
【図４】便器と便座の前方の一部が高くなった洋式便器に着座した側面図。
【図５】従来の洋式便器の斜図。
【図６】便座に着座した時の足１７と衣服１４の状態を示す平面図
【発明を実施するための形態】
【０００９】
本発明は、便座４に着座した時、便座４の股の両膝の間になる部分、つまり陰茎の正面になる部分を上方向に高くし便座受け面凸部３を設ける。便座受け面凸部３の上部になる便座４の下側には便座凹部６と凹部壁１８を、上側には便座凸部７を設け、便座受け面凸部３が便座４に当たらない様に便座凹部６に収納する。便座受け面凸部３の内側の水路１５の内側の内垂れ壁１６の下側を外側に傾斜させる。凹部壁１８が便座受け面凸部３の天面より下がり内垂れ壁１６の内側に位置し隙間１０を遮蔽する。
【実施例】
【００１０】
図１は、本発明の便器１の便座受け面凸部３と便座４の便座凹部６と凹部壁１８、便座凸部７を表わした正面図である。陰茎側から見れば、外側に傾斜した内垂れ壁１６は凹部壁１８で遮られているので、便座受け面２の便座受け面凸部３と便座４の間の隙間１０が塞がれている。（図４）便座受け面凸部３の上部に位置する便座４の便座凹部６と便座凸部７の部分には身体が当たらないので保温用のヒーターは不要であるので電線が通るまで薄くする事が出来る、その他の部分のヒーターの熱で補える。
【産業上の利用可能性】
【００１１】
男性が洋式便器で小便をした場合、便器１や便器１の外側や、床を汚していたのが高いところから立って小便をしていた為だと認識されていた、この為座ってするように要求している主婦も多い。この汚れの原因が便器１の便座受け面２と便座４の隙間１０からの漏れだった事が判明し陰茎１３の正面になる部分に便座受け面凸部３を設けた事で男性が座って小便をしてももれなくなった事で、衣服が小便で濡れる事も、便器１や床を汚すことがなくなったので衛生的になった。図１は、本発明の便器１の便座受け面凸部３と便座４の便座凹部６と凹部壁１８、便座凸部７を表わした正面図である。陰茎側から見れば、外側に傾斜した内垂れ壁１６は凹部壁１８で遮られているので、便座受け面凸部３と便座４の間の隙間１０が遮蔽されている。（図４）  便座受け面凸部３の上部に位置する便座４の便座凹部６と便座凸部７の部分には身体が当たらないので保温用のヒーターは不要である、その他の部分のヒーターの熱で補える。
【符号の説明】
【００１２】
1  便器
2  便座受け面
3  便座受け面凸部
4  便座
5  便座足
6  便座凹部
7  便座凸部
8  便蓋
9  便蓋足
10  隙間
11 水タンク
12  人体模型
13  陰茎
14  衣服
15  水路
16  内垂れ壁
17  足
18  凹部壁
【図１】
2016070033.tif 000003
【図２】
2016070033.tif 000004
【図３】
2016070033.tif 000005
【図４】
2016070033.tif 000006
【図５】
2016070033.tif 000007
【図６】
2016070033.tif 000008